(57)【特許請求の範囲】
【請求項１】
前面グリルと、
この前面グリルに設けられた光表示部と、
この光表示部より下方で、この光表示部から離間して設けられた発光源を内部に搭載するとともに発光源からの光を上方に導く構成を有する表示ユニットと、
この表示ユニットの上側から前記前面グリル背面を通り前記光表示部背後へ上下方向に延設され、前記発光源の光を光表示部へ導く導光部材本体と、前記発光源から前記導光部材本体を通過してきた光を前記光表示部後方で前記光表示部に向けて反射させる第１の反射面とを有する導光部材と、
前記導光部材本体の外周と前記第１の反射面の外面を覆う被覆体と、
を備え、
前記光表示部は、表示部本体と、この表示部本体を通過して前方に導かれた光を反射させて斜め下方へ射出させる第２の反射面とを有することを特徴とする空気調和機の室内ユニット。
【請求項２】
前記表示ユニットの発光源上側に、透明な材質からなる防水カバーを設けたことを特徴とする請求項１記載の空気調和機の室内ユニット。
【発明の詳細な説明】
【０００１】
【発明の属する技術分野】
本発明は、前面グリルに運転内容等を示す表示部が設けられた空気調和機の室内ユニットに関する。
【０００２】
【従来の技術及び発明が解決しようとする課題】
従来、空気調和機の室内ユニットにあっては、運転状態等を表示させる表示部は、発光ダイオード（以下ＬＥＤという）の発光を直接利用するか、表示部近傍に発光源としてのＬＥＤを設け、ここからの光を利用する方法が取られてきた。
【０００３】
しかし、発光源から表示部へＬＥＤ光を伝達するのにプリズムを用いると、光量が減少したり、指向性が強すぎて視認性が低下したりする場合があり、さらに、暗い部屋では、光漏れによって見栄えが低下するという問題があった。
【０００４】
また、前面パネルの水洗後、水切りが不十分だと、水が表示ユニットに入ってしまい故障を起こすという問題があった。さらに、表示ユニットのボディは、安価なポリプロピレンを用いているため、ボディの反りや合わせ部の隙間が生じやすいという問題もあった。
【０００５】
そこで、本発明は、表示部の光量を低下させず、視認性を向上させ、見栄えの良い表示を実現でき、さらに、防水性の高い表示ユニットを有する空気調和機の室内ユニットを提供することを目的とする。
【０００６】
【課題を解決するための手段】
本発明の第１の特徴は、前面グリルと、この前面グリルに設けられた光表示部と、この光表示部より下方で、この光表示部から離間して設けられた発光源を内部に搭載するとともに発光源からの光を上方に導く構成を有する表示ユニットと、この表示ユニットの上側から前面グリル背面を通り光表示部背後へ上下方向に延設され、発光源の光を光表示部へ導く導光部材本体と、発光源から導光部材本体を通過してきた光を光表示部後方で光表示部に向けて反射させる第１の反射面とを有する導光部材と、導光部材本体の外周と第１の反射面の外面を覆う被覆体と、を備え、光表示部は、表示部本体と、この表示部本体を通過して前方に導かれた光を反射させて斜め下方へ射出させる第２の反射面とを有することである。
【０００７】
本発明の第２の特徴は、表示ユニットの発光源上側に、透明な材質からなる防水カバーを設けたことである。
【００１７】
【発明の実施の形態】
以下本発明の実施の形態について図１ないし図６を参照して説明する。
【００１８】
図１は、本発明に係る空気調和機の室内ユニット２１を示すものである。この室内ユニット２１は、その中央部にファン２３が設けられている。このファン２３の上方及び前面には、このファン２３を取り囲むように熱交換器２５が設けられている。この熱交換器２５の下端部下方には、ドレンパン２７が設けられており、熱交換器２５から滴下するドレンを受けるようになっている。
【００１９】
このドレンパン２７の前側には、表示ユニット２９が隣接して設けられている。この表示ユニット２９は、空気調和機の運転状態等を表示するためのものであって、室内ユニット２１前面から外部に直接光表示を行うＬＥＤ３１を有している。また、この表示ユニット２９は、この表示ユニット２９から離れた位置で光表示するための光源となるＬＥＤ３３を有している。さらに、これらＬＥＤ３１、３３を動作させるプリント基板３５を有している。この表示ユニット２９の上側には、断面コ字状の防水カバー３７が設けられている。この防水カバー３７は、前面グリルの水洗後に落下してくる水滴から表示ユニット２９を守るためのものである。この防水カバー３７は、透明な材料からなり、ＬＥＤ３３の光を透過するようになっている。
【００２０】
図２は、この表示ユニット２９の組立を示す図である。表示ユニット２９は、箱状のユニット本体３９と、このユニット本体３９に開閉可能に設けられた蓋体４１とを有しており、ユニット本体３９内には、プリント基板３５が配置され、このプリント基板３５には、ＬＥＤ３３が載置されている。このような表示ユニット２９を組み立てるには、まず蓋体４１に設けられた引っ掛け部４３をユニット本体３９の突起４５に係合することによって蓋体４１を閉じる。その後、断面コ字状の防水カバー３７をユニット本体３９と蓋体４１に被せるように嵌合させ、防水カバーに設けられた引っ掛け部４７をユニット本体３９等に設けられた凹部（図示せず）に係合して組立を完了する。
【００２１】
なお、図１に示すように、ドレンパン２７の下方には、送風口４９が設けられており、熱交換器２５で冷却され空気がファン２３を通ってこの送風口４９から室内へ供給される。
【００２２】
一方、室内ユニット２１は、その上部に、吸い込みグリル５１を有する上部カバー５３を有している。この上部カバー５３の前側には、室内ユニット２１の前面開口部カバーする前面グリル５５が設けられている。この前面カバー５５は、上部カバー５３前端部に設けられたヒンジ５７を中心に開閉できるようになっており、熱交換器２５への空気を通過させる吸い込みグリル５９が設けられている。
【００２３】
この前面グリル５５の背面には、上下方向に延在するプリズム６１が設けられている。このプリズム６１は、前面グリル５５の下端部でＬＥＤ３３の直上の位置から前面グリル５５の中央部まで延びるプリズム本体６３を有している。このプリズム本体６３は、その下端の入光面６５からＬＥＤ３３の光を入射させ、その光を上方へ導くようになっている。このプリズム本体６３の上端には、ＬＥＤからの光を前方へ屈折させる反射面６７が形成されている。
【００２４】
このプリズム６１のプリズム本体６３の前面側には、このプリズム内を通過する光が室内ユニット２１前面から漏れることを防止するための第１のカバー６９が設けられている。また、プリズム６１の反射面６７の上側には、この反射面６７からＬＥＤ光が漏れるのを防止するための第２のカバー７１が設けられている。そして、これら第１のカバー６９と第２のカバー７１は一体に形成されている。
【００２５】
図３に示すように、プリズム６１の上端部には、このプリズム上端部から前方へ突出する光表示部７３が設けられている。この光表示部７３は、前面グリル５５に設けられたブッシュ７５を通って突出した表示部本体７７を有している。この表示部本体７７の先端部には、反射面７９が形成されている。この反射面７９は、前方に向かうにしたがい下方へ向かう方向に、水平面に対して３０°の角度をなすように形成されている。このような構成において、反射面６７で反射して前方へ射出されたＬＥＤ光は、表示部本体７７を通過し反射面７９で斜め下方へ屈折する。このようにすることによって、室内ユニット２１の斜め下方にいるユザーの視認性を向上させている。
【００２６】
なお、以上の説明においては、プリズムが１個ある場合について説明したが、これに限る必要はなく、ＬＥＤ３３が複数個あり、これに対応するプリズム６１及び反射面６７が、図４に示すように、複数個並列して設けられていてもよい。
【００２７】
以上説明したように、この実施の形態にあっては、表示ユニット２９に設けられたＬＥＤ３３と、このＬＥＤ３３からのＬＥＤ光を導くプリズム６１と、このプリズム６１を通過したＬＥＤ光を前面パネルから放出する光表示部７３とを有しているから、表示ユニット２９から離れた位置にＬＥＤ光による表示を行うことができ、従って操作性を向上させることができる。
【００２８】
また、この実施の形態にあっては、プリズム６１に第１のカバー６９、第２のカバー７１を設けているから、プリズム６１を通過するＬＥＤ光が前面グリルを通して外部から見えてしまうこと防止することができ、美観を向上させることができる。
【００２９】
さらに、この実施の形態にあっては、光表示部７３の先端部上面に水平面に対して３０°以上傾斜した反射面７９が設けられているから、光表示部７３からのＬＥＤ光を斜め下方へ放出することができ、従ってユザーの視認性、操作性を向上させるこができる。
【００３０】
また、表示ユニット２９の上側に防水カバー３７を設けているから、前面グリルを水洗いして水切りが悪い場合であっても、プリズム６１を伝わって水滴が垂れて表示ユニット２９に進入することを防止することができ、故障の発生を防ぐことができる。また、熱交換器２５からの水滴が表示ユニット２９へ入り故障の原因となることも防止することができる。
【００３１】
さらに、防水カバー３７を透明な材料で構成しているから、前面グリル５５の中央部で運転状態を表示する場合でも防水カバー３７を通してＬＥＤ光を上方へ導くことができる。また、透明な材料を着色することによって、表示の色を変えることもでき、意匠の幅を広げることができる。
【００３２】
また、防水カバー３７を断面コ字状に形成し、これを表示ユニット２９の外側にはめ込むようにしているから、表示ユニット２９自体の組立精度、剛性等が低くてもこれを矯正し保持することができる。従って、表示ユニット２９のボディに安価な材料を使用した場合でも、組立時の隙間、反り等を防止することができるとともに、表示の位置ずれを防止することができる。
【００３３】
次に、本発明の第２の実施の形態について説明する。この実施の形態においては、プリズム本体６３の前面を覆う第１のカバー８１と、反射面６７の上方に略水平に設けられた第２のカバー８３とが設けられ、これら第１のカバー８１と第２のカバー８３とは別体に形成されている。
【００３４】
このように、この実施の形態にあっては、第１のカバー８１と第２のカバー８３とが別体に形成されているから、それぞれの構造を簡単にすることができ、従ってコストの低減を図ることができる。
【００３５】
さらに、本発明の第３の実施の形態について説明する。この実施の形態においては、プリズム８５の内、プリズム本体６３は複数設けられるが、反射面８７は、隣接するプリズムと水平方向に連結されて形成され、光表示部も水平方向に連結されている。このようにすることによって、バー表示を可能とし、ＬＥＤを直接発光させる場合と異なる視覚的効果を生じさせることができる。
【００３６】
【発明の効果】
以上説明したように、本発明にあっては、発光源から前面グリル背面を通り光表示部背後へ延設された導光部材本体と、発光源から導光部材本体を通過してきた光を光表示部後方で光表示部に向けて反射させる反射面とを有する導光部材と、導光部材本体の前面と反射面の上部を覆う被覆体であって、導光部材と別体に設けられた被覆体とを備えているから、表示ユニットから離れた位置にＬＥＤ光による表示を行うことができ、従って操作性を向上させることができる。また、プリズムを通過するＬＥＤ光が前面グリルを通して外部から見えてしまうこと防止することができ、美観を向上させることができる。さらに、表示ユニットの上側に防水カバーを設けているから、パネルを水洗いして水切りが悪い場合であっても、プリズムを伝わって水滴が垂れて表示ユニットに進入することを防止することができる。
【図面の簡単な説明】
【図１】本発明に係る空気調和機の室内ユニットを示す断面図。
【図２】図１に示す室内ユニットの表示ユニットの組立を示す斜視図。
【図３】図１に示す室内ユニットの光表示部を示す拡大断面図。
【図４】図１に示す室内ユニットのプリズムを示す背面斜視図。
【図５】本発明の他の実施の形態である空気調和機の室内ユニットの要部を示す断面図。
【図６】本発明のさらに他の実施の形態である空気調和機のプリズムを示す背面斜視図。
【符号の説明】
２１  空気調和機の室内ユニット
３３  発光ダイオード（ＬＥＤ）
３７  防水カバー
６１  プリズム
６３  プリズム本体
６７  反射面
６９  第１のカバー
７１  第２のカバー
７３  光表示部
７７  表示部本体
７９  反射面
８１  第１のカバー
８３  第２のカバー
８７  反射面
８５  プリズム
【図１】
0003971518.tif 000002
【図２】
0003971518.tif 000003
【図３】
0003971518.tif 000004
【図４】
0003971518.tif 000005
【図５】
0003971518.tif 000006
【図６】
0003971518.tif 000007